(57)【要約】      （修正有）【課題】土砂運搬時は土砂用バケットを水平に保って固定し、土砂排出時は、土砂用バケットを回動自在にしてバケット内の土砂を排出するのに、クレーンの操作のみで行えることで、簡単な操作で確実な安全作業が行える土砂用バケットを提供する。【解決手段】上面開口部を有するバケット本体２と、左右アーム４３，７３とよりなるアーム本体４２を有し、アーム本体４２の回転位置に従ってバケット本体２の側部に設けられた左右のピン３２ａとピン受け凹部４６ｂとの掛止又は離脱し得る左右フック４５，７５と、アーム本体４２の回転位置に従って、左右フックの保持ピン５０と掛止又は離脱し得ることを含む左右フック保持部５１，８１と、バケット本体２の重心の位置が、左右アーム支持部３７の軸の中心同士を結んだ線より前方であって、且つ、左右フック４５，４７と掛止又は離脱し得る左右のピンの軸中心同士を結んだ線より後方との間に位置するようになされた。【選択図】図１
2006232428.tif 000002
【特許請求の範囲】
【請求項１】
上面開口部を有するバケット本体と、前記バケット本体の左右側部に設けられた左右アーム支持部にて夫々下端部を回動自在に枢支され、上端部を中央アームにて架設された左右アームとよりなるアーム本体と、前記中央アームの上面側の左右中央部に連結金具を有し、一端のフック軸を前記左右アームに回動自在に枢支され他端近傍にピン受け凹部と保持ピンとを有し、前記アーム本体の回転位置に従って前記バケット本体の左右側部に設けられた左右のピンと前記ピン受け凹部との掛止又は離脱し得る左右フックと、前記左右アームの前記左右フックの直上位置に設けられ前記アーム本体の回転位置に従って、前記左右フックの前記保持ピンと掛止又は離脱し得ることを含む左右フック保持部と、前記バケット本体の重心の位置が、前記左右アーム支持部の軸中心同士を結んだ線より前方であって、且つ、前記左右フックと掛止又は離脱し得る前記左右のピンの軸中心同士を結んだ線より後方との間に位置するようになされたことを特徴とする土砂用バケット。
【請求項２】
前記バケット本体が、船形のバケット本体であることを特徴とする請求項１記載の土砂用バケット。
【請求項３】
急斜面工事で、崖下付近の平地にクレーンを設置し、土砂用バケットを構成するアーム部をＰ１の位置に回転させ、前記アーム部のアーム本体を構成する左右アームを左右アーム止めに当接させ、左右フックを左右フック保持部にて保持掛止させた状態の前記土砂用バケットを前記平地上に置くＳＴＡＲＴ工程と、
前記土砂用バケットの前記アーム部の連結金具（シャックル）に、前記クレーンのフックを引掛けるＳ１工程と、
前記クレーンの操作により、前記アーム部を、前記Ｐ１の位置からＰ２の位置に回転させて、前記左右フックを前記左右フック保持部の掛止から離脱させて自重で時計方向に回転させ前記左右フックのフックストッパに当接させて停止させるＳ２工程と、
前記アーム部を前記Ｐ２の位置からＰ３の位置に回転させ、前記アーム部を構成するアーム本体を後方に倒して左右アーム受けに当接させるＳ３工程と、
前記アーム部を前記Ｐ３の位置から、Ｐ４の位置に回転させて，バケット本体の左右側部に設けられた左右のピンと前記左右フックとを当接させ、更にＰ５の位置に回転させて，前記左右フックと前記バケット本体の前記左右側部に設けられた前記左右のピンとを掛止させ得る状態とし、そしてＰ６の位置に回転させて、前記左右フックと前記バケット本体の前記左右側部に設けられた前記左右のピンとを掛止させ、前記左右アーム支持部に支持された前記アーム本体と前記左右のピンに掛止された前記左右フックとの共同で、前記土砂用バケットを略水平状態にして前記アーム部に掛けられた前記クレーンの前記フックに吊り下げるＳ４工程と、
前記アーム部４１をＰ６の位置の状態で、前記土砂用バケットを略水平状態に前記クレーンの前記フックにより吊り下げて工事場所のバックホーの傍らに移動して、前記土砂用バケットを置くＳ５工程と、
前記アーム部を前記Ｐ６の位置から、前記Ｐ１の位置に回転させて、前記アーム部のアーム本体を構成する左右アームを左右アーム止めに当接させ、左右フックを左右フック保持部にて保持掛止させた状態とし、前記Ｐ２の位置に回転させ、前記左右フックを前記左右フック保持部の掛止から離脱させて自重で時計方向に回転させ前記左右フックのフックストッパに当接させて停止させ、そして前記Ｐ３の位置に回転させて、前記アーム部を構成する前記アーム本体を後方に倒して前記左右アーム受けに当接させ、前記土砂用バケット２０の上面開口部２１ａを大きく開いた状態にして、土砂用バケット内に土砂を収容し易くするＳ６工程と、
前記アーム部が左方に倒された前記Ｐ３の位置で、前記上面開口部が大きく開かれている前記土砂用バケット２０の中に、前記バックホーの前記アームを駆動して前記バケットにより、前記土砂用バケットの中に、容易に掘削した土砂を入れるＳ７工程と、
前記アーム部４１を前記Ｐ３の位置から、Ｐ４の位置に回転させ、バケット本体の左右側部に設けられた左右のピンと前記左右フックとを当接させ、Ｐ５の位置に回転させ、前記左右フックと前記バケット本体の前記左右側部に設けられた前記左右のピンとを掛止させ得る状態とし、そしてＰ６の位置に回転させて、前記左右フックと前記バケット本体の前記左右側部に設けられた前記左右のピンとを掛止させ、前記左右アーム支持部に支持された前記アーム本体と前記左右のピンに掛止された前記左右フックとの共同で、前記土砂用バケットを略水平状態にして前記アーム部に掛けられた前記クレーンの前記フックに吊り下げて運搬できるようにするＳ８工程と、
前記アーム部４１がＰ６の位置の時に、前記クレーンの前記フックにより、前記土砂用バケットを略水平状態に吊り下げて前記工事場所から移動して、土砂の入っている前記土砂用バケットを運搬して、前記平地上の所望の場所に（例えば、トラック１２５の荷台の上に）降ろすＳ９工程と、
前記アーム部を前記Ｐ６の位置から、前記Ｐ１の位置に回転させて，前記アーム部の前記アーム本体を構成する前記左右アームを前記左右アーム止めに当接させ、前記左右フックを前記左右フック保持部にて保持掛止させ、そして、前記Ｐ２の位置に回転させて，前記左右フックを前記左右フック保持部の掛止から離脱させて自重で時計方向に回転させ前記左右フックのフックストッパに当接させて停止させ、更に、Ｐ３の位置に回転させて、前記アーム部を構成する前記アーム本体を後方に倒して前記左右アーム受けに当接させるＳ１０工程と、
運搬されてきた土砂の入っている前記土砂用バケットを降ろされ、前記平地上の所望の場所（例えば、トラック１２５の荷台の上に）に置かれた、前記アーム部をＰ３の位置に回転された前記土砂用バケットにおいて、前記アーム部を構成する前記アーム本体を後方に倒して前記左右アーム受けに当接させ、前記土砂用バケットの前記アーム部の連結金具（シャックル）に掛けられた前記クレーンの前記フックにより、前記土砂用バケットの前端部を下にして、前記平地上の前記所望の場所にて略垂直状態に前記土砂バケットを吊り上げ、左右アーム支持部より前方にバケット本体の重心位置が存在するので、確実にバケット本体は、前端部を下向きにして略垂直状態に吊り上げられ、土砂を所望の場所に（例えば、トラック１２５の荷台の上に）放出するＳ１１工程と、
空になった前記土砂用バケット２０を、前記クレーンのフックにより、平らな場所に置いて、一旦、アーム部をＰ３の位置にして、前記アーム部を構成する前記アーム本体を後方に倒して前記左右アーム受けに当接させ、そして、アーム部をＰ４の位置に回転させ、バケット本体の左右側部に設けられた左右のピンと前記左右フックとを当接させ、そして、アーム部をＰ５の位置に回転させ、前記左右フックと前記バケット本体の前記左右側部に設けられた前記左右のピンとを掛止させ得る状態とし、更に、アーム部をＰ６の位置に回転させ、前記左右フックと前記バケット本体の前記左右側部に設けられた前記左右のピンとを掛止させ、前記左右アーム支持部に支持された前記アーム本体と前記左右のピンに掛止された前記左右フックとの共同で、前記土砂用バケットを略水平状態にして前記アーム部に掛けられた前記クレーンの前記フックに吊り下げて運搬できるようにするＳ１２工程と、
前記アーム部を前記Ｐ６の位置の状態で、前記土砂用バケットを略水平状態に前記クレーンの前記フックにより吊り下げて前記工事場所の前記バックホーの傍らに移動させて、前記土砂用バケットを置くＳ１３工程と、  以後工程Ｓ６に戻り、工程Ｓ６→工程Ｓ７→工程Ｓ８→工程Ｓ９→工程Ｓ１０→工程Ｓ１１→工程１２→工程１３→工程Ｓ６に戻り、以後これを繰返し、
土砂運搬作業の終了時には、工程Ｓ１２から分岐して、
前記アーム部を前記Ｐ６の位置の状態で、前記土砂用バケットを略水平状態に前記クレーンの前記フックにより吊り下げて作業の障害にならない前記平地上の場所に移動して、前記土砂用バケットを置くＳ１４工程と、
前記土砂用バケットは、安全上から前記アーム部が、折畳まれて前記Ｐ１の位置になされるＳ１５工程と、
終了ＳＴＯＰ工程と、までの土砂搬出工程を特徴とする土砂用バケットを用いた工法。
【発明の詳細な説明】
【技術分野】
【０００１】
本発明は、土砂運搬バケットに関し、特に建築・土木工事において急傾斜地・災害復旧工事など危険な場所における掘削土等の土砂をトラックの荷台又は他の場所に搬出するための土砂用バケットに関する。
【背景技術】
【０００２】
従来、急斜面工事で、崖下付近に住宅地がある場合、バックホー（ドラグショベルともいうパワーショベルと同程度の掘削能力を有し、硬い土の掘削作業に適する。）で掘削した土砂を直接下方へ落下させると、粉塵や土砂流出といった災害をもたらす可能性があるため、土砂用バケットに土砂を入れクレーンにより吊り下げ下方へ運搬する作業が必要である。
【０００３】
図１３は、従来の土砂等の被運搬物を運搬する土砂用バケット１の第一例の斜視図を示す。上部に一方の吊りワイヤａが、下部に他方の吊りワイヤｂが二箇所に各々固定され、バケット本体２の内面を上下自在に移動するバケット底蓋３を備え、バケット本体２内に土砂を入れクレーンにより上部の一方の吊りワイヤａで、吊り上げ運搬し、クレーンのフック５をバケット本体２下部に固定された他方の吊りワイヤｂに付け替え、そして、そのバケット本体２を他方の吊りワイヤｂで吊り上げて反転させ土砂を排出させる。
【０００４】
そして、次の運搬では、他方の吊りワイヤｂで土砂用バケット１を吊り上げ運搬し、クレーンのフック５を再び一方の吊りワイヤａに付け替え、バケット本体２を一方の吊りワイヤａで吊り上げて反転させ土砂を排出させる。その時バケット本体２の内面に、自在に移動するように設けられた、バケット底蓋３は、バケット本体２が反転するたびに、土砂を排出させながらバケット本体２の下面側へ移動する。
【０００５】
即ち、バケット本体２の上面側の一方の吊りワイヤａで、吊り上げ運搬し、下面側の他方の吊りワイヤｂで反転させ土砂を排出する。この時、バケット底蓋３は、バケット本体２が反転するたびに下面側へ移動し、バケット本体２内に被運搬物が収容できるように常に反転前の状態に戻るようにした土砂用バケット１（自己復帰型反転バケット）の例があり、この様な本願発明に関連した第一例の公知技術として下記の特許文献１を挙げることが出来る。
【０００６】
更に、図1４は他の土砂用バケット１の第二例の斜視図である。上方と下方に開口部を有するバケット本体２と、このバケット本体２の上端縁に固定された補強部材７の正面及びこれと対向する面の中央部に位置して起伏自在に軸支された左右一対の吊り下げロッド８と、バケット本体２の左右側面方向中央部分にあって上端部が前記吊り下げロッド８の下端部に回動可能に軸支され、この吊り下げロッド８の上下動に連動する左右一対のリンク９と、このリンク９の上下動によりバケット本体２の下方開口部を開閉自在に２分割して配設された底蓋１０、１０と、前記吊り下げロッド８の上端部に固定された支持杆１１の中央部分に回動可能に支持されたクレーン吊り下げ用シャックル１２（メインワイヤ１４用の連結金具）と、前記補強部材７の左右側面中央部に軸支されたワイヤ吊り下げ用シャックル１３（補助ワイヤ１６用の連結金具）とを具備してなる土砂用バケット１の例があげられる。
【０００７】
この第二例の土砂用バケット１の構成によれば、バケット本体２内に土砂を積み込む際には吊り下げロッド８と支持杆１１及びシャックル１２（メインワイヤ１４のフック１５用の連結金具）をバケット本体２の上端縁で何れか一方側に倒伏させることにより（図１２中では左方二点鎖線表示）、バケット本体２の上方開口部が大きく解放されて土砂の積み込み動作が容易に行われ、積み込んだ土砂を搬出する際にはクレーン吊り下げ用シャックル１２（メインワイヤ１４のフック１５用の連結金具）とワイヤ吊り下げ用シャックル１３（補助ワイヤー１６のフック１７用の連結金具）にそれぞれメインワイヤ１４のフック１５と補助ワイヤ１６のフック１７を掛け止めしてクレーンを利用してバケット本体２を吊り上げ、目的とする搬出位置上方に移動してからバケット本体２を降下させ、補助ワイヤ１６の緊張状態を維持したままメインワイヤ１４の緊張状態を緩めることによって吊り下げロッド８に連動するリンク９が下降して、バケット本体２の下方開口部を塞ぐ位置に配設された底蓋１０，１０が左右に開いて土砂が落下して搬出が行われる。底蓋１０，１０の開口度はメインワイヤ１４の緊張状態によって適宜調節することができる。
【０００８】
目的とする搬出位置に土砂が搬出された後で再びメインワイヤ１４の緊張状態を高めることにより、吊り下げロッド８とリンク９が連動して上昇して底蓋１０，１０がバケット本体２の下方開口部を塞ぐ位置に戻り、以下同様な動作を繰返すことによって、バケット本体２内への土砂の積み込みと搬出位置への土砂の搬出動作を継続して行うことが出来る。この様な本願発明に関連した第二例の公知技術として下記の特許文献２を挙げることが出来る。）
【０００９】
【特許文献１】実開平６―３２４６９号公報
【特許文献２】登録実用新案第３０７２３３９号公報
【発明の開示】
【発明が解決しようとする課題】
【００１０】
上述の如く、従来技術に係る第一例の実開平６―３２４６９号公報の開示技術の土砂用バケット１では、土砂を入れ、所望の指定位置まで運搬して、人手によってクレーンのフック５から上部の一方の吊りワイヤａを外し、人手によってクレーンのフック５に下部の他方の吊りワイヤｂを掛けなおして、再度クレーンを吊り上げ土砂用バケット１を反転させて被運搬物の土砂を排出させていた。この第一例の土砂用バケット１では、使用する時に、一方の（又は他方の）吊りワイヤａ（又はｂ）の掛け外しの作業があり、作業員が土砂用バケット１と接触事故等を起すおそれがあり作業安全上で問題があった。更に、大量の土砂搬出工事では作業員等の省人化が図れずに人件費用がかさむ等の経済的な問題もあった。
【００１１】
そして、従来技術に係る第二例の登録実用新案第３０７２３３９号公報の開示技術の土砂用バケット１では、土砂を入れ、所望の指定位置まで運搬して、バケット本体２を降下させ、補助ワイヤ１６の緊張状態を維持したままメインワイヤ１４の緊張状態を緩めることによって吊り下げロッド８に連動するリンク９が下降して、バケット本体２の下方開口部を塞ぐ位置に配設された底蓋１０，１０が左右に開いて土砂が落下して搬出が行われる。底蓋１０，１０の開口度はメインワイヤ１４の緊張状態によって微調節して、土砂の排出量を調節する。
【００１２】
即ち、補助ワイヤ１６の緊張状態を維持したままメインワイヤ１４の緊張状態を微調節しながら緩めることによって、バケット本体２の底蓋１０，１０が左右に開いて、土砂が搬出される。この様に、クレーン操作作業の他に補助ワイヤー１６の緊張状態を維持したまま、メインワイヤ１４の緊張状態を維持したり緩めたりして微調節する複雑なワイヤ操作作業が加わり、面倒なワイヤー操作時にワイヤ操作手順を間違えたりし易く、作業効率や作業精度が雑になり易かったりして、着実な作業が求められている工事現場での作業安全上の問題が存在していた。
【００１３】
本発明は、このような点に鑑みてなされたものであり、その目的は、人手を使用せず土砂運搬時は土砂用バケットを水平に保って固定し、土砂排出時は、土砂用バケットを回動自在にしてバケット内の土砂を排出するのにワイヤとフックを備えたクレーンの操作のみで行えることで、省人化でき、且つ、簡単な操作で確実な安全作業が行える土砂用バケットを提供することにある。
【課題を解決するための手段】
【００１４】
上述の目的を達成するために、請求項１の発明は、上面開口部を有するバケット本体と、前記バケット本体の左右側部に設けられた左右アーム支持部にて夫々下端部を回動自在に枢支され、上端部を中央アームにて架設された左右アームとよりなるアーム本体と、前記中央アームの上面側の左右中央部に連結金具を有し、一端のフック軸を前記左右アームに回動自在に枢支され他端近傍にピン受け凹部と保持ピンとを有し、前記アーム本体の回転位置に従って前記バケット本体の左右側部に設けられた左右のピンと前記ピン受け凹部との掛止又は離脱し得る左右フックと、前記左右アームの前記左右フックの直上位置に設けられ前記アーム本体の回転位置に従って、前記左右フックの前記保持ピンと掛止又は離脱し得ることを含む左右フック保持部と、前記バケット本体の重心の位置が、前記左右アーム支持部の軸中心同士を結んだ線より前方であって、且つ、前記左右フックと掛止又は離脱し得る前記左右のピンの軸中心同士を結んだ線より後方との間に位置するようになされたことを特徴とする土砂用バケットである。
【００１５】
上記請求項１の発明の場合、土砂用バケットは、一端のフック軸を前記左右アームに回動自在に枢支され他端近傍にピン受け凹部と保持ピンとを有し、前記アーム本体の回転位置に従って前記バケット本体の左右側部に設けられた左右のピンと前記ピン受け凹部との掛止又は離脱し得る左右フックと、前記左右アームの前記左右フックの直上位置に設けられ前記アーム本体の回転位置に従って、前記左右フックの前記保持ピンと掛止又は離脱し得るようなされた左右フック保持部とが設けられているので、クレーンの操作によりアーム部（即ちアーム本体）の回転位置により左右フックの掛止と離脱が可能であるために土砂の収容時も土砂の放出時も土砂用バケット要員等は不要であり省人化が可能である。
【００１６】
更に、前記バケット本体の重心の位置が、前記左右アーム支持部の軸中心同士を結んだ線より前方であって、且つ、前記左右フックと掛止又は離脱し得る前記左右のピンの軸中心同士を結んだ線より後方との間に位置するようになされたことを特徴とするので、安全で確実な土砂運搬作業が可能であり、本発明の土砂用バケットは、土砂放出時に、確実に略垂直状態に吊り下げられるので、容易に土砂用バケット内の土砂を放出できる。
【００１７】
請求項２の発明は、前記土砂用バケットにおいて、好適には、船形のバケット本体である。
【００１８】
上記請求項２の発明の場合、前記バケット本体が、船形のバケット本体であることにより、バケット本体は、前側の傾斜底板２３がもともと傾斜しているために、前端部を下向きにして少し傾けるように吊り下げると、土砂用バケット内の土砂を直ちに容易に放出できる。
【００１９】
請求項３の発明は、ＳＴＡＲＴ：急斜面工事で、崖下付近の平地にクレーンを設置し、土砂用バケットを構成するアーム部をＰ１の位置に回転させて、前記アーム部のアーム本体を構成する左右アームを左右アーム止めに当接させて、左右フックを左右フック保持部にて保持掛止させた状態の前記土砂用バケットを前記平地上に置く工程。
Ｓ１：前記土砂用バケットの前記アーム部の連結金具（シャックル）に、前記クレーンのフックを引掛ける工程。
【００２０】
Ｓ２：前記クレーンの操作により、前記アーム部を、前記Ｐ１の位置からＰ２の位置に回転させて、前記左右フックを前記左右フック保持部の掛止から離脱させて自重で時計方向に回転させ前記左右フックのフックストッパに当接させて停止させる工程。
Ｓ３：前記アーム部を前記Ｐ２の位置からＰ３の位置に回転させ、前記アーム部を構成するアーム本体を後方に倒して左右アーム受けに当接させる工程。
【００２１】
Ｓ４：前記アーム部を前記Ｐ３の位置から、Ｐ４の位置に回転させて，バケット本体の左右側部に設けられた左右のピンと前記左右フックとを当接させ、更にＰ５の位置に回転させて，前記左右フックと前記バケット本体の前記左右側部に設けられた前記左右のピンとを掛止させ得る状態とし、そしてＰ６の位置に回転させて、前記左右フックと前記バケット本体の前記左右側部に設けられた前記左右のピンとを掛止させ、前記左右アーム支持部に支持された前記アーム本体と前記左右のピンに掛止された前記左右フックとの共同で、前記土砂用バケットを略水平状態にして前記アーム部に掛けられた前記クレーンの前記フックに吊り下げる工程。
【００２２】
Ｓ５：前記アーム部をＰ６の位置の状態で、前記土砂用バケットを略水平状態に前記クレーンの前記フックにより吊り下げて工事場所のバックホーの傍らに移動して、前記土砂用バケットを置く工程。
【００２３】
Ｓ６：前記アーム部を前記Ｐ６の位置から、前記Ｐ１の位置に回転させて、前記アーム部のアーム本体を構成する左右アームを左右アーム止めに当接させ、左右フックを左右フック保持部にて保持掛止させた状態とし、前記Ｐ２の位置に回転させ、前記左右フックを前記左右フック保持部の掛止から離脱させて自重で時計方向に回転させ前記左右フックのフックストッパに当接させて停止させ、そして前記Ｐ３の位置に回転させて、前記アーム部を構成する前記アーム本体を後方に倒して前記左右アーム受けに当接させ、前記土砂用バケットの上面開口部を大きく開いた状態にして、土砂用バケット内に土砂を収容し易くする工程。
【００２４】
Ｓ７：前記アーム部が左方に倒された前記Ｐ３の位置で、前記上面開口部が大きく開かれている前記土砂用バケットの中に、前記バックホーの前記アームを駆動して前記バケットにより、前記土砂用バケットの中に、容易に掘削した土砂を入れる工程。
【００２５】
Ｓ８：前記アーム部を前記Ｐ３の位置から、Ｐ４の位置に回転させ、バケット本体の左右側部に設けられた左右のピンと前記左右フックとを当接させ、Ｐ５の位置に回転させ、前記左右フックと前記バケット本体の前記左右側部に設けられた前記左右のピンとを掛止させ得る状態とし、
そしてＰ６の位置に回転させて、前記左右フックと前記バケット本体の前記左右側部に設けられた前記左右のピンとを掛止させ、前記左右アーム支持部に支持された前記アーム本体と前記左右のピンに掛止された前記左右フックとの共同で、前記土砂用バケットを略水平状態にして前記アーム部に掛けられた前記クレーンの前記フックに吊り下げて運搬できるようにする工程。
【００２６】
Ｓ９：前記アーム部がＰ６の位置の時に、前記クレーンの前記フックにより、前記土砂用バケットを略水平状態に吊り下げて前記工事場所から移動して、土砂の入っている前記土砂用バケットを運搬して、前記平地上の所望の場所に（例えば、トラックの荷台の上に）降ろす工程。
【００２７】
Ｓ１０：前記アーム部を前記Ｐ６の位置から、前記Ｐ１の位置に回転させて，前記アーム部の前記アーム本体を構成する前記左右アームを前記左右アーム止めに当接させ、前記左右フックを前記左右フック保持部にて保持掛止させ、そして、前記Ｐ２の位置に回転させて，前記左右フックを前記左右フック保持部の掛止から離脱させて自重で時計方向に回転させ前記左右フックのフックストッパに当接させて停止させ、更に、Ｐ３の位置に回転させて、前記アーム部を構成する前記アーム本体を後方に倒して前記左右アーム受けに当接させる工程。
【００２８】
Ｓ１１：運搬されてきた土砂の入っている前記土砂用バケットを降ろされ、前記平地上の所望の場所（例えば、トラックの荷台の上に）に置かれた、前記アーム部をＰ３の位置に回転された前記土砂用バケットにおいて、前記アーム部を構成する前記アーム本体を後方に倒して前記左右アーム受けに当接させ、前記土砂用バケットの前記アーム部の連結金具（シャックル）に掛けられた前記クレーンの前記フックにより、前記土砂用バケットの前端部を下にして、前記平地上の前記所望の場所にて略垂直状態に前記土砂バケットを吊り上げ、左右アーム支持部より前方にバケット本体の重心位置が存在するので、確実にバケット本体は、前端部を下向きにして略垂直状態に吊り上げられ、土砂を所望の場所に（例えば、トラックの荷台の上に）放出する工程。
【００２９】
Ｓ１２：空になった前記土砂用バケットを、前記クレーンのフックにより、平らな場所に置いて、一旦、アーム部をＰ３の位置にして、前記アーム部を構成する前記アーム本体を後方に倒して前記左右アーム受けに当接させ、そして、アーム部をＰ４の位置に回転させ、バケット本体の左右側部に設けられた左右のピンと前記左右フックとを当接させ、そして、アーム部をＰ５の位置に回転させ、前記左右フックと前記バケット本体の前記左右側部に設けられた前記左右のピンとを掛止させ得る状態とし、更に、アーム部をＰ６の位置に回転させ、前記左右フックと前記バケット本体の前記左右側部に設けられた前記左右のピンとを掛止させ、前記左右アーム支持部に支持された前記アーム本体と前記左右のピンに掛止された前記左右フックとの共同で、前記土砂用バケットを略水平状態にして前記アーム部に掛けられた前記クレーンの前記フックに吊り下げて運搬できるようにする工程。
【００３０】
Ｓ１３：前記アーム部を前記Ｐ６の位置の状態で、前記土砂用バケットを略水平状態に前記クレーンの前記フックにより吊り下げて前記工事場所の前記バックホーの傍らに移動させて、前記土砂用バケットを置く工程。
【００３１】
以後工程Ｓ６に戻り、工程Ｓ６→工程Ｓ７→工程Ｓ８→工程Ｓ９→工程Ｓ１０→工程Ｓ１１→工程１２→工程１３→工程Ｓ６に戻り、以後これを繰返す。
土砂運搬作業の終了時には、工程Ｓ１２から分岐して、
Ｓ１４：前記アーム部を前記Ｐ６の位置の状態で、前記土砂用バケットを略水平状態に前記クレーンの前記フックにより吊り下げて作業の障害にならない前記平地上の場所に移動して、前記土砂用バケットを置く工程。
Ｓ１５：前記土砂用バケットは、安全上から前記アーム部が、折畳まれて前記Ｐ１の位置になされる工程。
【００３２】
ＳＴＯＰ：終了。
ＳＴＡＲＴからＳＴＯＰまでの土砂搬出工程を特徴とする土砂用バケットを用いた工法である。
【００３３】
上記請求項３の発明の場合、急斜面工事において、崖下付近に住宅地が存在する場合に、バックホーで掘削した土砂を、本発明の土砂用バケット内に土砂を収容して、クレーンのワイヤのフックにより、この土砂の入っている土砂用バケットを水平に保って吊り下げて土砂搬出作業を行う工法であるから、粉塵や土砂流出と言った公害や災害を防止することが出来る。また、土砂用バケット要員等は不要であり、省人化が可能な工法であるから経済的に有利な工法である。
【発明の効果】
【００３４】
以上説明したように請求項１の発明によれば、一端のフック軸を前記左右アームに回動自在に枢支され他端近傍にピン受け凹部と保持ピンとを有し、前記アーム本体の回転位置に従って前記バケット本体の左右側部に設けられた左右のピンと前記ピン受け凹部との掛止又は離脱し得る左右フックと、前記左右アームの前記左右フックの直上位置に設けられ前記アーム本体の回転位置に従って、前記左右フックの前記保持ピンと掛止又は離脱し得るようなされた左右フック保持部とが設けられているので、クレーンの操作によりアーム部（即ちアーム本体）の回転位置により左右フックの掛止と離脱が可能であるために土砂の収容時も土砂の放出時も土砂用バケット要員等は不要であり省人化が可能である。
【００３５】
更に、前記バケット本体の重心の位置が、前記左右アーム支持部の軸中心同士を結んだ線より前方であって、且つ、前記左右フックと掛止又は離脱し得る前記左右のピンの軸中心同士を結んだ線より後方との間に位置するようになされたことを特徴とするので、安全で確実な土砂運搬作業が可能であり、本発明の土砂用バケットは、土砂放出時に、確実に略垂直状態に吊り下げられるので、容易に土砂用バケット内の土砂を放出できる。
【００３６】
請求項２の発明によれば、請求項１の発明と同様な効果を奏し得る他、前記バケット本体が、船形のバケット本体であることにより、バケット本体は、前側の傾斜底板２３がもともと傾斜しているために、前端部を下向きにして少し傾けるように吊り下げると、土砂用バケット内の土砂を直ちに放出できる。
【００３７】
請求項３の発明によれば、急斜面工事において、崖下付近に住宅地が存在する場合に、バックホーで掘削した土砂を、本発明の土砂用バケット内に土砂を収容して、クレーンのワイヤのフックにより、この土砂の入っている土砂用バケットを水平に保って吊り下げて土砂搬出作業を行う工法であるから、粉塵や土砂流出と言った公害や災害を防止することが出来る。また、土砂用バケット要員等は不要であり、省人化が可能な工法であるから経済的に有利な工法である。
【発明を実施するための最良の形態】
【００３８】
以下、本発明の実施の形態を図面を参照しながら詳細に説明する。
【００３９】
図１〜図１２は、本発明の第１の実施の形態に係り、図１はその土砂用バケットの正面図である。図２はその土砂用バケットの平面図、図３はその土砂用バケットの右側面図、図４は、図２中のＡ部及びＢ部の拡大図である。図５は、図３中のＣ部及びＤ部の拡大図である。図６〜図１１は、本発明の土砂用バケットの左右アームと左右フックとその動作の説明図である。そして、各図中で部材を示す符号に丸括弧付きの符号は、左方側面に対称的に設けられている右方側面の部材を示す符号である。図１２は、本発明の土砂用バケットを用いた工法を示す斜視図である。
【００４０】
図１〜図３に示すように、土砂用バケット２０は、上面開口部２１ａを有する船形のバケット本体２１と（バケット本体２１は、樽形でも箱形でもその他の多角形で可能であるが、好適には船形とする）、前記バケット本体２１の左右側部に設けられた左右アーム支持部３７、（３６）にて夫々下端部を頭付き軸３９、（３９）にて回動自在に枢支され、上端部を中央アーム９６にて架設された左右アーム７３、（４３）とよりなるアーム本体４２と、前記中央アーム９６の上面側の左右の中央部にクレーン１１２のワイヤ１１４のフックを引掛ける連結金具（シャックル）を有し、
前記左右アーム７３、（４３）に夫々回動自在に枢支された左右フック７５、（４５）と、前記左右フック７５、（４５）が夫々掛止又は離脱し得る前記バケット本体２１の左右側面の縦補強材３２、（３２）に設けられた左右のピン３２ａ，（３２ａ）とを含み、前記バケット本体２１の重心の位置が、前記左右アーム支持部３７、（３６）の頭付き軸３９、（３９）の軸中心同士を結んだ線より前方であって、且つ、前記左右フック７５、（４５）と夫々掛止又は離脱し得る前記ピン３２ａ，（３２ａ）の軸中心同士を結んだ線より後方との間に位置するようになされている。
【００４１】
この構成を詳述すると、土砂用バケット２０を構成する船形のバケット本体２１は、上面は上面開口２１ａとなって開かれており、この上面開口２１ａにより船形のバケット本体２１内の土砂の収容と放出が容易に出来る。更に、船形のバケット本体２１は、水平の底板２２とこれに連なって斜前方に延在している傾斜底板２３と、これらを囲むように右側板２４、左側板２５、後側板２６が配設され船形を形成し、
そして、補強部材として上端外側縁部に右補強材（上）２７と、左補強材（上）２８と、後補強材（上）２９とが設けられ、これら上端に対応するように、下端外側縁部に右補強材（下）３３と、左補強材（下）３４とが設けられている。更に、傾斜底板２３の前側先端上部の下面側には前補強材３０が設けられ、そして、水平の底板２２の略中央部の下側には、底補強材３１が右側から左側に架設され固着されている。
【００４２】
この底補強材３１の左右両端部において、後述するように底補強材３１が外方に水平に延在して、先端部が上方に向けて右曲げ起し部３１ａと左曲げ起し部３１ｂとして形成され、夫々右アーム支持部３６と左アーム支持部３７の一部を構成している。そして、右補強材（上）２７と左補強材（上）２８の前側先端部には上側と下側の隅に面取りが施されており、土砂用バケット２０の使用時に角部が、引掛かったりせず動作が滑らかになるようになっている（図１〜図３参照）。
【００４３】
前記底補強材３１の一方の右方端部において、右アーム支持部３６が形成されている。即ち、この右アーム支持部３６では、前記底補強材３１の右端部を、前記右補強材（下）３３の右方外側に水平に延在して、その右末端部を上方に向けて右曲げ起し部３１ａとして形成し、この右曲げ起し部３１ａの上端部近傍に軸穴３１ｃを設けてある。そして、水平に延在する前記底補強材３１の右曲げ起し部３１ａの内側の水平上面であって、前記右曲げ起し部３１ａと前記右補強材（下）３３との間に、前記右曲げ起し部３１ａと対向するように内側支持部材３８を溶接等で固着し、この内側支持部材３８の上端部近傍に、前記右曲げ起し部３１ａの上端部近傍に設けられた右側の軸穴３１ｃに対応した位置に右側の軸穴３８ａを設けてある。
【００４４】
ここで後述と一部重複するが、理解しやすいように一部分を概説すると、土砂用バケット２０が、バケット本体２１とアーム部４１とで構成され、そして、このアーム部４１が、アーム本体４２と連結金具（シャックル）９８とで構成され、そして、アーム本体４２が、右アーム４３と左アーム７３と中央アーム９６と筋交い部材１０３（２箇所）とで構成され、更に、右アーム４３が右アーム本体４４と右フック４５と右フック保持部５１とで構成され、同様に、左アーム７３が左アーム本体７４と左フック７５と左フック保持部８１とで構成されている。
【００４５】
この右曲げ起し部３１ａと内側支持部材３８との間隔は、後述するアーム部４１を構成するアーム本体４２の一部である右アーム４３の右アーム本体４４の下方端部の厚さ寸法部分が挿入されて、軸穴３１ｃと軸穴３８ａとに支承された頭付き軸３９が、この右アーム本体４４の下端近傍に設けられた軸穴４４ａにも（前記軸穴３１ｃと前記軸穴３８ａとの間において）挿通され、右アーム４３が軸穴４４ａに挿通された頭付き軸３９を中心に支障なく回動自在となし得る距離でよい。更に、頭付き軸３９は、この頭付き軸３９の先端部に設けられているピン穴３９ａに割りピン４０を挿通して、抜け防止が図られている（図１〜図３参照）。
【００４６】
前記右アーム支持部３６と対称的に、前記底補強材３１の他方の左方端では、左アーム支持部３７が形成されている。この左アーム支持部３７では、前記底補強材３１の左端部を、前記左補強材（下）３４の左方外側に水平に延在して、その左末端部を上方に向けて左曲げ起し部３１ｂとして形成し、この左曲げ起し部３１ｂの上端部近傍に軸穴３１ｃを設けてある。そして、水平に延在する前記底補強材３１の前記左曲げ起し部３１ｂの内側の水平上面であって、前記左曲げ起し部３１ｂと前記左補強材（下）３４との間に、前記左曲げ起し部３１ｂと対向するように内側支持部材３８を溶接等で固着し、この内側支持部材３８の上端部近傍に、前記左曲げ起し部３１ｂの上端部近傍に設けられた左方の軸穴３１ｃに対応した位置に左方の軸穴３８ａを設けてある。
【００４７】
この左曲げ起し部３１ｂと左方の内側支持部材３８との間隔は、後述するアーム部４１を構成するアーム本体４２の一部である左アーム７３の左アーム本体７４の下方端部の厚さ寸法部分が挿入されて、軸穴３１ｃと軸穴３８ａとに支承された頭付き軸３９が、この左アーム本体７４の下端近傍に設けられた軸穴７４ａにも（前記軸穴３１ｃと前記軸穴３８ａとの間において）挿通され、左アーム７３が軸穴７４ａに挿通された頭付き軸３９を中心に支障なく回動自在となし得る距離でよい。更に、頭付き軸３９は、この頭付き軸３９の先端部に設けられているピン穴３９ａに割りピン４０を挿通して、抜け防止が図られている（図１〜図３参照）。
【００４８】
この他に図２、図３、図５のＣ部拡大図、を参照して、バケット本体２１において、右側板２４には、前記右アーム支持部３６より前方で、前記右補強材（上）２７と前記右補強材（下）３３とを連結するように右の縦補強材３２が固着して設けられている。そして、この右の縦補強材３２の右方外側面のほぼ中央部に右のピン３２ａが固着されている。この右のピン３２ａには、後述するようにアーム本体４２の回動位置により右フック４５の右フック本体４６の右のピン受部４６ｂが掛止したり又は離脱したりし、アーム本体４２を介して右の前記頭付き軸３９と、右フック４５と掛止する右のピン３２ａとによりアーム部４１にて土砂用バケット２０を吊り上げる時に後述する左側板２５の部材と共同して、役立つ。
【００４９】
そして、前記右補強材（上）２７の上面にて、前記縦補強材３２より前方寄りの位置に、右アーム止１０４を設け、アーム部４１を前方に倒す時に、水平から略４５度近傍の位置にてアーム部４１を構成するアーム本体４２の右アーム４３の回転を止める働きをする（このことも後述する左側板２５の部材と共同する。）。
【００５０】
更に、図２を参照して、バケット本体２１の右後方下端部の右側板２４と右補強材（下）３３との右側面後方隅に右アーム受１０５を固着してあり、土砂用バケット２０内に上面開口部２１ａより土砂を収容する場合に、アーム部４１を後方に倒す必要があり、この場合に、アーム部４１を構成するアーム本体４２の右アーム４３を受止める働きをする。また、土砂用バケット２０内の土砂を放出する場合に、クレーン１１２にて土砂用バケット２０を吊り上げて、土砂用バケット２０を略垂直状態に引起すと、アーム部４１を構成するアーム本体４２の右アーム４３に右アーム受１０６が当接してバケット本体２１を略垂直方向に受止めて土砂を放出する。
【００５１】
同様に、図１〜図３を参照して、バケット本体２１において、左側板２５には、前記左アーム支持部３７より前方で、前記左補強材（上）２８と前記左補強材（下）３４とを連結するように左の縦補強材３２が固着して設けられている。そして、この左の縦補強材３２の左方外側面のほぼ中央部に左のピン３２ａが固着されている。この左のピン３２ａには、後述するように左フック７５の左フック本体７６の左のピン受け凹部７６ｂが掛止したり又は離脱したりし、アーム本体４２を介して左の前記頭付き軸３９と、左フック７５と掛止する左のピン３２ａとによりアーム部４１にて土砂用バケット２０を吊り上げる時に前述した右側板２４の部材と共同して役立つ。そして、左の前記左補強材（上）２８の上面にて、前記縦補強材３２より前方寄りに、左アーム止１０８を設け、アーム部４１を前方に倒す時に、水平から略４５度近傍の位置にてアーム部４１を構成するアーム本体４２の左アーム７３の回転を止める働きをする（このことも前述した右側板２４の部材と共同する。）。
【００５２】
更に、図１、図２を参照して、バケット本体２１の左後方の下端部の左側板２５と左補強材（下）３４との左側面後方隅に左アーム受１１０を固着してあり、土砂用バケット２０内に上面開口部２１ａより土砂を収容する場合に、アーム部４１を後方に倒す必要があり、この場合に、アーム部４１を構成するアーム本体４２の左アーム７３を受止める働きをする。また、土砂用バケット２０内の土砂を放出する場合に、クレーン１１２にて土砂用バケット２０を吊り上げて、土砂用バケット２０を略垂直状態に引起すと、アーム部４１を構成するアーム本体４２の左アーム７３に左アーム受１１０が当接してバケット本体２１を略垂直方向に受止めて土砂を放出する。
【００５３】
次に、図１〜図３、図４のＡ部拡大図、図５のＣ部拡大図を参照して、前述と一部重複するがアーム部４１を説明する。アーム部４１は、アーム本体４２と連結金具（シャックル）９８とからなる。そして、アーム本体４２は、右アーム４３と、左アーム７３と、これ等右アーム４３と左アーム７３との上端部に中央アーム９６を架設し、夫々この左右の連結隅部には筋交い部材１０３が補強配置してなる。そして、前記右アーム４３を構成する右アーム本体４４の下端近傍に軸穴４４ａを有する下方端部が、前記右アーム支持部３６の前記右曲げ起し部３１ａと前記内側支持部材３８との間に配置され、
そして、右方側の前記軸穴３１ｃと右方側の前記軸穴３８ａとに支えられている右方側の前記頭付き軸３９が、前記軸穴４４ａに（前記軸穴３１ｃと前記軸穴３８ａとの間において）挿通されて、右アーム本体４４の下方端部が、回動自在に枢支されていて、この右方側の前記頭付き軸３９は先端近傍に設けられているピン穴３９ａに割りピン４０を挿通して止められている。
【００５４】
同様に、図１〜図３、図４のＢ部拡大図、図５のＤ部拡大図を参照して、前述と一部重複するが、前記左アーム７３を構成する左アーム本体７４の下端近傍に軸穴７４ａを有する下方端部が、前記左アーム支持部３７の前記左曲げ起し部３１ｂと左方側の前記内側支持部材３８との間に配置され、そして、左方側の前記軸穴３１ｃと左方側の前記軸穴３８ａとに支えられている左方側の頭付き軸３９が、前記軸穴７４ａに（前記軸穴３１ｃと前記軸穴３８ａとの間において）挿通されて、左アーム本体７４の下方端部が、回動自在に枢支されていて、左方側の頭付き軸３９は先端近傍に設けられているピン穴３９ａに割りピン４０を挿通して止められている。
【００５５】
この様にして、図２、図３を参照すると、前記アーム部４１を構成する前記アーム本体４２は、左右の下端部にて前記右アーム支持部３６と前記左アーム支持部３７とに夫々左右の前記頭付き軸３９、（３９）に枢支されて、前記バケット本体２１の右側から左側に回動自在に跨設されている。そして、左右の前記頭付き軸３９は、左右のピン穴３９ａ、（３９ａ）に挿通された左右の割ピン４０、（４０）により抜け止めされていることは既に述べられている通りである。尚、土砂用バケット２０の重心の位置は、左右アーム支持部３７，（３６）の左右頭付き軸３９、（３９）の軸中心同士を結んだ線より前方の位置であって、且つ、左右フック７５、（４５）を掛止又は離脱し得る左右のピン３２ａ，（３２ａ）の中心同士を結んだ線より後方の位置に存在するようになされている。
【００５６】
これにより土砂バケット２０が吊り上げられたり吊り下げられたりする場合にも、安定していて確実な運搬作業が可能であり、土砂を放出する場合に、左右フック７５、（４５）を左右のピン３２ａ，（３２ａ）から外して（離脱させて）、クレーン１１２のワイヤ１１４のフック１１５を連結金具（シャックル）９８に引掛けてアーム部４１を介して土砂用バケット２０を吊り上げると、左右アーム支持部３７、（３６）より前方にバケット本体２１の重心位置が存在するので、確実にバケット本体２１は、前端部を下向きにして略垂直状態に吊り下げられ、傾斜底板２３に案内されるようにして、バケット本体２１内に収容されている土砂を容易に前端部から放出できる。
【００５７】
そして、前記中央アーム９６の左右の中間部には連結金具（シャックル）９８が設けられている。この連結金具（シャックル）９８は、一対の金具９９が前記中央アーム９６の左右の中間部に対称的に平行に固着され、この金具９９の上端部には軸穴９９ａが夫々設けられて、ここに頭付きピン１００が挿通されており、この頭付きピン１００の先端部にはＣ形止め輪用溝１００ａを有し、ここに座金１０１を介してＣ形止め輪１０２を挿入して頭付きピン１００の抜け止めが図られている。そして、一対の前記金具９９の間の頭付きピン１００に、後述するクレーン１１２のワイヤ１１４のフック１１５を引掛けて、クレーン１１２の操作によりアーム部４１を前後に倒したり、左右フック７５、４５と左右のピン３２ａ，３２ａとの掛止又は離脱を行えるのである。
【００５８】
ところで、図８は、図１中のアーム部４１がＰ３の位置を占めた場合の、土砂用バケット２０のバケット本体２１とアーム部４１との要部を示す左側面図である。図８は、図１中のアーム部４１（延いてはアーム本体４２）がＰ３の位置を占めており、部材の位置関係が理解しやすい状態にあるために引出し線と符号を使って、その要部を説明する。同様に図６、図７、図９、図１０、図１１は夫々図１中のアーム部４１がＰ１，Ｐ２，Ｐ４，Ｐ５，Ｐ６の位置を占めた場合の、土砂用バケット２０のバケット本体２１とアーム部４１との要部を示す左側面図である。
【００５９】
そして、基本的に、図８中の引出線に関する部材を示す符号により左側面図の説明をするが、合わせて、丸括弧付きの部材を示す符号であって、本来、図８の左側面図と対称的に表れ、別の右側面図として図示されるべき筈の、左側面のバケット本体２１とアーム部４１との要部を、便宜上（右側面図を省略して、）、左側面図中の相当する部材の符号に併記して、丸括弧付きの部材の符号として示してある。
【００６０】
即ち、括弧付き部材の符号は図８と対称的に表れる右側面図（図示省略）の部材を示す符号として読み替えるものとする。（読替時に、図４のＡ部、Ｂ部拡大図及び図５のＣ部、Ｄ部拡大図を参照のこと）。同様に、図６、図７、図９〜図１１も、括弧付き部材の符号は、右側面図（図示省略）の部材を示す符号として読み替えるものとする。（同様に、読替時に、図４のＡ部、Ｂ部拡大図及び図５のＣ部、Ｄ部拡大図を参照のこと）。
【００６１】
早速、図８を参照して、図示されない筈の右側面図に関係する、丸括弧付きの部材を示す符号を読み替えて説明する。（図４のＡ部拡大図及び図５のＣ部拡大図を参照のこと。）まず、前記右アーム（４３）を構成する前記右アーム本体（４４）の下端部近傍に設けられている前記軸穴（４４ａ）のやや上方に軸穴（４４ｂ）が設けられている。この軸穴（４４ｂ）には右フック（４５）を構成する右フック本体（４６）の一端部に固着されているフック軸（４７）が、この右アーム本体（４４）の左側面から右側面に貫装されている。この右アーム本体（４４）の右側面に突出したフック軸（４７）の先端部にはＣ形止め輪用溝（４７ａ）が設けてあり、座金（４８）を宛がいその上にＣ形止め輪（４９）を前記Ｃ形止め輪用溝（４７ａ）に挿入して抜け止めされ、前記右フック（４５）が前記右アーム本体（４４）の左側面に沿って回動自在に枢支されている。
【００６２】
そして、右フック（４５）は、右フック本体（４６）と、この右フック本体（４６）の一端部近傍の矩形部（４６ａ）の右側面にフック軸（４７）が溶接等で固着されている。右フック（４５）は（延いては右フック本体４６は）、先端にＣ形止め輪用溝（４７ａ）を有する前記フック軸（４７）が前記軸穴（４４ｂ）に貫装されて、前記右アーム（４３）（延いては前記右アーム本体（４４）の左側面に沿って回動自在に枢支されていることは前述した。そして、右フック本体（４６）の他端部近傍にピン受け凹部（４６ｂ）が上あご部（４６ｃ）と下あご部（４６ｈ）に挟まれて凹設されている。
【００６３】
そして、前記上あご部（４６ｃ）に滑らかに接続されて案内板部（４６ｄ）が右フック本体（４６）の左側面に固着されており、この案内板部（４６ｄ）は前記フック軸（４７）方向に延在していて、右フック本体（４６）の板厚方向の補強と後述する右のピン（３２ａ）と滑らかに摺動し得る役目とを兼ねている。その案内板部（４６ｄ）の先端部が前記右アーム本体（４４）の前側面に固着されているフックストッパ（６６）に当接して右フック本体（４６）を９０度に近い鋭角状態に姿勢を保持している。（図８参照）
【００６４】
更に、案内板部（４６ｄ）の先端部は、前記右フック本体（４６）の一端部近傍の前記矩形部（４６ａ）の下端部へと接続されている。そして、前記下あご部（４６ｈ）の外周縁に接続されて第１の前面傾斜部（４６ｇ）と、更に、これに接続されて第２の前面傾斜部（４６ｆ）と、そして、これに接続されて背面傾斜部（４６ｅ）とが形成されており、この背面傾斜部（４６ｅ）が前記矩形部（４６ａ）の上端部に接続されて右フック本体（４６）の全外形部が形作られている。
【００６５】
そして、前記右フック（４５）の右フック本体（４６）の左側面において、前記案内板部（４６ｄ）の上方で、且つ、前記背面傾斜部（４６ｅ）の下方の中間部に保持ピン（５０）を固着して設けてある。この保持ピン（５０）は、後述するように、前記アーム部４１を後方位置や前方位置又は直立位置等に回動操作するにつれて、右フック保持部（５１）の板ばね部（５４）の板ばね本体（５５）の保持凹部（５５ａ）により掛止又は離脱され得るし、同時に前記右フック本体（４６）のピン受け凹部（４６ｂ）と前記ピン（３２ａ）との保持掛止と解放離脱とに関係する。
【００６６】
同様に、図１〜図３、図８、図４のＡ部拡大図及び図５のＣ部拡大図を参照して、右フック保持部（５１）が前記右アーム本体（４４）の右前面側の位置で、且つ、前記右フック（４５）の直ぐ上方部の位置に固着してある。即ち、この右フック保持部（５１）は、取付板（５２）の長手方向の一端部を直角に曲げた面を溶接等で、前記右アーム本体（４４）の右前面側の位置で、且つ、前記右フック（４５）の直ぐ上方部の位置に固着してある。
【００６７】
そして、この右アーム本体（４４）の右側面とこの取付板（５２）の右側面とが面一になるように設けてある。この取付板（５２）の右側面において、下端側から長手方向の略三分の一の位置に、先端にＥ形止め輪用溝（５３ａ）を有するピン（５３）が固着されている。このピン（５３）に緩挿される円筒部（５６）の周側面に保持凹部（５５ａ）を有するクランク状に屈曲した板ばね本体（５５）と、ばね取付板（５７）とを有する板ばね部（５４）がＥ形止め輪（６５）により回動自在に設けられている。
【００６８】
そして、取付板（５２）の下端近傍には前記板ばね本体（５５）の一部を当接させて待機位置を調節するボルト（６３）を螺入しロックナット（６４）で固定可能なねじ取付座（６２）が溶接等で固着されている。更に、長手方向上端部近傍にはばね掛け部（５９ａ）とねじ部（５９ｂ）とからなるばね力調整ねじ（５９）を螺入させ、ロックナット（６１）で固定可能なねじ取付座（６０）が溶接等で固着されている。
【００６９】
そして、前記板ばね部（５４）の前記ばね取付板（５７）と前記ばね掛け部（５９ａ）との間にコイルばね（５８）が掛けられている。板ばね本体（５５）の保持凹部（５５ａ）に前記右フック部（４５）の保持ピン（５０）を保持掛止する場合の保持力を調節するために、ボルト（６３）とばね力調整ねじ（５９）とを回して適正な位置でロックナット（６４）及びロックナット（６１）とにより固定する。
【００７０】
図８を参照して、今度は、土砂用バケット２０のバケット本体２１とアーム部４１との要部を示す左側面図に基いて説明する。前記左アーム７３を構成する前記左アーム本体７４の下端部に設けられた前記軸穴７４ａのやや上方に位置する軸穴７４ｂが設けられ、この軸穴７４ｂには左フック７５を構成する左フック本体７６の一端部近傍に固着されているフック軸４７が左アーム本体７４の右側面から左側面に貫装され、この左アーム本体７４の左側面に突出したフック軸４７の先端部にはＣ形止め輪用溝４７ａが設けてあり、座金４８を宛がいその上にＣ形止め輪４９を前記Ｃ形止め輪用溝４７ａに挿入して抜け止めされ、前記左フック７５が前記左アーム本体７４の左側面に沿って回動自在に枢支されている。
【００７１】
そして、左フック７５は、左フック本体７６と、この左フック本体７６の一方端近傍の矩形部７６ａの右側面にフック軸４７が溶接等で固着されている。左フック７５は（延いては左フック本体７６は）、先端にＣ形止め輪用溝４７ａを有する前記フック軸４７が前記左アーム本体７４の前記軸穴７４ｂに貫装されて、前記左アーム７３（延いては前記左アーム本体７４）の右側面に沿って回動自在に枢支されていることは前述した。そして、左フック本体７６の他方端近傍にピン受け凹部７６ｂが上あご部７６ｃと下あご部７６ｈに挟まれて凹設されている。
【００７２】
そして、前記上あご部７６ｃに滑らかに接続されて案内板部７６ｄが左フック本体７６の右側面に固着されており、この案内板部７６ｄは前記フック軸４７方向に延在していて、左フック本体７６の板厚方向の補強と、後述する右のピン３２ａとの滑らかな摺動をし得る役目とを兼ねている。その案内板部７６ｄの先端部が前記左アーム本体７４の前側面に固着されているフックストッパ６６に当接して左フック本体７６を９０度に近い鋭角状態に姿勢を保持している。（図８参照）
【００７３】
更に、案内板部７６ｄの先端部は、前記した左フック本体７６の一方端近傍の前記矩形部７６ａの下端部へと接続されている。そして、前記下あご部７６ｈの外周縁に接続されて第１の前面傾斜部７６ｇと、更に、これに接続されて第２の前面傾斜部７６ｆと、そして、これに接続されて背面傾斜部７６ｅとが形成されており、この背面傾斜部７６ｅが前記矩形部７６ａの上端部に接続されて左フック本体７６の全外形が形成されている。
【００７４】
そして、前記左フック７５の左フック本体７６の左側面において、前記案内板部７６ｄの上方位置で、且つ、前記背面傾斜部７６ｅの下方の中間部位置に保持ピン５０が固着されて設けられている。この保持ピン５０は、後述するように前記アーム部４１を後方位置や前方位置又は直立位置等に回動操作するにつれて、左フック保持部８１の板ばね部５４の板ばね本体５５の保持凹部５５ａにより掛止又は離脱され得るし、同時に前記左フック本体７６のピン受け凹部７６ｂと前記ピン３２ａとの保持掛止と解放離脱とに関係する。
【００７５】
同様に、図１〜図３、図８、図４のＢ部拡大図及び図５のＤ部拡大図を参照して、左フック保持部８１が前記左アーム本体７４の左前面側位置で、且つ、前記左フック部７５の直ぐ上方部の位置に固着してある。即ち、この左フック保持部７１は、取付板８２を長手方向の一端部を直角に曲げた面を溶接等で、前記左アーム本体７４の左前面側の位置で、且つ、前記左フック７５の直ぐ上方部の位置に固着してある。そして、この左アーム本体７４の左側面とこの取付板８２の左側面とが面一になるように設けてある。この取付板８２の左側面において、下端側から長手方向の略三分の一の位置に、先端にＥ形止め輪用溝５３ａを有するピン５３が固着されている。このピン５３に緩挿される円筒部５６の周側面に保持凹部５５ａを有するクランク状に屈曲した板ばね本体５５と、ばね取付板５７とを有する板ばね部５４がＥ形止め輪６５により回動自在に設けられている。
【００７６】
そして、取付板８２の下端近傍には前記板ばね本体５５の一部分に頭部を当接させて待機位置を調節するボルト６３を螺入しロックナット６４で固定することが可能なねじ取付座６２が溶接等で固着されている。そして取付板８２の長手方向上端部近傍にはばね掛け部５９ａとねじ部５９ｂとを有するばね力調整ねじ５９を螺入させ、ロックナット６１で固定することが可能なねじ取付座６０が溶接等で固着されている。そして、前記板ばね部５４の前記ばね取付板５７と前記ばね掛け部５９ａとの間にコイルばね５８が掛けられている。板ばね本体５５の保持凹部５５ａに前記右フック部４５の保持ピン５０を保持掛止する場合の保持力を調節するために、ボルト６３とばね力調整ねじ５９とを回して適正な位置でロックナット６４及びロックナット６１とにより固定する。
【００７７】
上述のように、土砂用バケット２０の説明において、右アーム支持部３６に支持されている右アーム４３と、右アーム４３を構成する右アーム本体４４と右フック４５と右フック保持部５１との右側面関係部材と、左アーム支持部３７に支持されている左アーム７３と、左アーム７３を構成する左アーム本体７４と左フック７５と左フック保持部８１との左側面関係部材とを、分解して説明したが、実際には右アーム４３と左アーム７３とは、上端部において中央アーム９６で一体化されてアーム本体４２を構成し、更に、アーム本体４２はアーム部４１を構成しているために、右側面関係部材と左側面関係部材とは一体となって、共同の動作をし、共同の機能を発揮する。
【００７８】
この様な構成の土砂用バケット２０のアーム部４１をクレーン１１２の上方に伸ばされたブーム１１３先端からワイヤ１１４に吊り下げられたフック１１５を連結金具（シャックル）９８に引掛けて、操作される場合の土砂用バケット２０の動作を説明する。
【００７９】
土砂用バケット２０の正面図である図１において、アーム部４１延いてはアーム本体４２（以下同様であるのでアーム本体４２の上位部材であるアーム部４１に代表させる時がある。）が、Ｐ１の位置を占める場合の要部の拡大図として図６を示す。アーム部４１が時計方向に回転してＰ１の位置を占める場合、左右のアーム７３、（４３）が夫々左右のアーム止め１０８、（１０４）に当接し停止すると共に、左右フック７５、（４５）は、左右の案内板部７６ｄ、（４６ｄ）と左右のピン３２ａ、（３２ａ）の周側面とを摺動させながら、左右のフック軸４７、（４７）を中心に矢印Ｇ方向に回転し、左右フック保持部８１、（５１）の左右の保持凹部５５ａ、（５５ａ）に左右の保持ピン５０、（５０）を保持掛止させた状態となる。
【００８０】
即ち、アーム部４１をＰ１の位置に回転させる場合、図１、図６を参照して、アーム部４１が左右のアーム止め１０８、（１０４）に当接して停止すると共に、左右フック保持部８１、（５１）の左右の保持凹部５５ａ，（５５ａ）により、左右フック７５、（４５）の左右の保持ピン５０、（５０）を掛止した状態、即ち、左右フック７５、（４５）の他端部近傍の左右のピン受け凹部７６ｂ、（４６ｂ）が、上方に持上げられて保持掛止されていて、アーム部４１を回転させた時に、左右フック７５、（４５）と左右のピン３２ａ，（３２ａ）とは掛止させることは出来ない。
【００８１】
次に図６、図７を参照して、アーム部４１をＰ１の位置からＰ２の位置に、反時計方向に回転させる場合、アーム部４１が、左右フック保持部８１、（５１）の左右の保持凹部５５ａ（５５ａ）に左右フック７５、（４５）の左右の保持ピン５０、（５０）を掛止させたまま反時計方向に回転されてＰ１の位置からＰ２の位置まで回転される途中において（Ｐ５，Ｐ６の状態を出現することなく通過し）、左右フック７５、（４５）と左右のピン３２ａ、（３２ａ）との掛止を阻止したままの状態を保持している。
【００８２】
そして、アーム部４１をＰ２の位置まで回転させる場合、左右補強材（上）２８、（２７）において、下方の左右アーム支持部３７、（３６）の位置の上方に相当する位置に固着された左右フック固定解除用部材１０５、（１０５）の下端面と、左右フック７５、（４５）の左右の背面傾斜部７６ｅ、（４６ｅ）とが当接して、左右の保持凹部５５ａ、（５５ａ）から左右の保持ピン５０、（５０）が外れて（離脱し）、左右のフック軸４７、（４７）を中心にして左右フック７５、（４５）は時計方向に自重により回転して左右の案内板部７６ｄ，（４６ｄ）と左右のフックストッパ６６、（６６）とが当接して停止する。
【００８３】
そして、左右補強材（上）２８、（２７）に固着された左右のフック固定解除用部材１０５、（１０５）の突出位置は、図４のＡ部拡大図及びＢ部拡大図を参照すると、左右フック７５、（４５）の左右の背面傾斜部７６ｅ、（４６ｅ）とが当接可能であるが、左右アーム７３、（４３）には干渉しない位置になっている。
【００８４】
前述より、図１、図６、図７を参照して、アーム部４１をＰ１の位置からＰ２の位置に回転させる場合、左右のフック固定解除用部材１０５、（１０５）の下端面と左右フック７５、（４５）の左右の背面傾斜部７６ｅ，（４６ｅ）とが当接し、左右フック保持部８１、（５１）の左右の保持凹部５５ａ，（５５ａ）に掛止されていた左右フック７５、（４５）の左右の保持ピン５０、（５０）が解放離脱されて、左右フック７５、（４５）が左右のフック軸４７、（４７）を中心に時計方向に自重で回転して、左右の案内板部７６ｄ、（４６ｄ）とストッパ６６、（６６）とが当接して停止する状態となる。
【００８５】
そして、図７、図８を参照して、アーム部４１をＰ２の位置から、更に、反時計方向のＰ３の位置に回転させる場合、アーム部４１は、左右アーム７３、（４３）が左右アーム受１１０、（１０６）に当接して停止し、左右フック７５、（４５）は時計方向に回転して左右の案内板部７６ｄ，（４６ｄ）と左右のフックストッパ６６、（６６）とが当接した状態のままである。即ち、アーム部４１が左方に倒された状態であり、土砂用バケット２０の上面開口部２１ａが大きく開かれた状態となる。このアーム部４１がＰ３の位置の場合に、土砂用バケット２０内にバックホー１１７等により土砂を収容できる状態である。
【００８６】
或いは、土砂用バケット２０内に土砂が収容されており、一度クレーン１１２のフック１１５により所望の土砂搬出場所に移動されて来た状態であるか、或いは空で運搬されて来て地上に下ろされた状態である。土砂用バケット内に土砂が既に収容されていれば、これから内の土砂を放出するため、土砂用バケット２０を、前方を下にして略９０度後方を上に引上げるように、クレーン１１２のフック１１５により吊り上げられるか、再度左右フック７５、（４５）を左右のピン３２ａ，（３２ａ）に掛止させて略水平状態で運搬されるための準備に入るかの何れかの状態である。
【００８７】
上述より、アーム部４１をＰ２の位置からＰ３の位置に回転させる場合、アーム部４１が左右アーム受１１０、（１０６）に当接し停止し、土砂用バケット２０の上面開口部２１ａが大きく開かれた状態となっている。その時左右フック７５、（４５）は左右のフックストッパ６６、（６６）に当接した状態のままである。このＰ３の位置のままクレーン１１２のフック１１５で土砂用バケット２０を吊り上げて内部の土砂を放出するか、更に、土砂用バケットを略水平状態で運搬するための準備に入るかの何れかになる。
【００８８】
さて、図８、図９、図１０、図１１を参照して、アーム部４１をＰ３の位置からＰ４、Ｐ５、そしてＰ６の位置に、時計方向に回転させる場合、即ち、左右フック７５、（４５）は左右のフック軸４７、（４７）と左右の案内板部７６ｄ，（４６ｄ）と左右のフックストッパ６６、（６６）とが当接した状態であるＰ３の位置から、アーム部４１がＰ４の位置になると、左右フック７５、（４５）の左右の第１の前面傾斜部７６ｇ、（４６ｇ）が、左右の縦補強材３２、（３２）に固着されている左右のピン３２ａ，（３２ａ）に当接し、
【００８９】
更に、アーム部４１を略垂直状態のＰ４の位置からやや時計方向に回転させたＰ５の位置にさせると、左右フック７５、（４５）は、第１の前面傾斜部７６ｇ、（４６ｇ）から左右の下あご部７６ｈ、（４６ｈ）にかけて左右のピン３２ａ，（３２ａ）に接したまま、左右のフック軸４７、（４７）を中心に反時計方向に回転し続け、左右の下あご部７６ｈ、（４６ｈ）が左右のピン３２ａ，（３２ａ）を乗り越えると、その途端に左右フック７５、（４５）は、自重で時計方向に（図１０の矢印Ｆの方向に）反回転して、左右の案内板部７６ｄ、（４６ｄ）が左右のピン３２ａ，（３２ａ）に当接（左右フック７５、（４５）は図１０の二点鎖線の状態）となる。
【００９０】
この状態であるＰ５の位置から、アーム部４１の連結金具（シャックル）９８に引掛けられたクレーン１１２のフック１１５によりアーム４１を少し吊り上げると、アーム部４１がわずかに反時計方向に回転した図１１のＰ６の位置となり、左右フック７５、（４５）の左右の上あご部７６ｃ、（４６ｃ）と左右の下あご部７６ｈ、（４６ｈ）とに挟まれて凹設されているピン受け凹部７６ｂ、（４６ｂ）に左右のピン３２ａ、（３２ａ）が掛止された状態となる。即ち、アーム部４１のＰ６の位置は、連結金具（シャックル）９８がクレーン１１２のフック１１５により土砂用バケット２０が吊り上げられる状態である。これは又、土砂用バケット２０が、左右アーム支持部３７、（３６）の左右の頭付きの軸３９、（３９）と左右のアーム軸４７、（４７）と左右フック７５、（４５）と左右のピン３２ａ，（３２ａ）を介してアーム部４１により、クレーン１１２のフック１１５により土砂用バケット２０が略水平状態に吊り下げられて移動中の状態でもある。
【００９１】
アーム部４１をＰ３の位置からＰ４，Ｐ５，そしてＰ６の位置に回転させる場合、左右フック７５、（４５）を左右のピン３２ａ，（３２ａ）に掛止させ、左右アーム支持部３７、（３６）に支持されたアーム本体４２と左右のピン３２ａ，（３２ａ）に掛止された左右フック７５（４５）との共同で、土砂用バケット２０を略水平状態にしてアーム部４１に掛けられたクレーン１１２のフック１１５に吊り下げられようとしているか、又は、既に吊り下げられていて所望の場所に運搬最中の状態である。
【００９２】
尚、図１においてアーム部４１の回転する位置をＰ１，Ｐ２，〜Ｐ６まで示してあるが、Ｐ５とＰ６とは説明の都合上、間隔を開けて示してあるが実際にはもっと近くて、ほとんど同一の位置と考えてよい。そして、底板２２に対して、Ｐ５，Ｐ６は垂直に近い位置であり、Ｐ１は、略４５度であり、アーム部４１をＰ５、Ｐ６の位置に回転させるのと、Ｐ１の位置に回転させるのとでは、明らかに、且つ、容易に区別できる。
【００９３】
次に、クレーン１１２のフック１１５により吊り下げられて所望の場所（例えば、工事場所のバックホー１１７の傍ら）に移動した土砂用バケット２０が置かれた状態において、アーム部４１がＰ６からＰ１の位置に回転される場合、左右のピン３２ａ，（３２ａ）に掛止されていた左右フック７５、（４５）が離脱して、アーム部４１が時計方向に回転されてＰ６の位置からＰ１の位置になると、左右のアーム７３、（４３）が夫々左右のアーム止め１０８、（１０４）に当接し、左右フック７５、（４５）は、左右の案内板部７６ｄ（４６ｄ）と左右のピン３２ａ（３２ａ）の周側面とを摺動させながら、左右のフック軸４７、（４７）を中心に矢印Ｇ方向に回転し、左右フック保持部８１、（５１）の左右の保持凹部５５ａ（５５ａ）に左右の保持ピン５０、（５０）を掛止させた状態となる。
【００９４】
この状態でアーム部４１の連結金具（シャックル）９８に引掛けられたクレーン１１２のフック１１５により土砂用バケット２０は吊り上げられ、前補強材３０が固着され補強された傾斜底板２３の前端部が下方となって、土砂用バケット２０が略９０度回転して略縦方向（略垂直方向）となり、土砂用バケット２０内に収容した土砂を放出させ得る。
【００９５】
上述より、アーム部４１をＰ６の位置からＰ１の位置に回転させる場合、クレーン１１２のフック１１５に吊り下げられて所望の場所に運搬されて、所望の場所（例えば、工事場所のバックホー１１７の傍ら）に下ろされた土砂用バケット２０は、クレーン１１２のフック１１５の操作によりアーム部４１がＰ６からＰ１の位置に回転されると、左右フック７５、（４５）も移動され、その左右のピン受け凹部７６ｂ、（４６ｂ）が掛止していた左右のピン３２ａ，（３２ａ）を解放離脱させ、左右の案内板部７６ｄ、（７６ｄ）と左右のピン３２ａ、（３２ａ）の周側面とが摺動しながら、左右フック保持部８１、（５１）の左右の保持凹部５５ａ，（５５ａ）により、左右フック７５、（４５）の左右の保持ピン５０、（５０）を掛止した状態、
即ち、左右フック７５、（４５）の他端部近傍の左右のピン受け凹部７６ｂ、（４６ｂ）が、上方に持上げられて保持掛止された状態となると共に、アーム部４１が左右アーム止め１０８、（１０４）に当接し停止した状態となる。その後、クレーン１１２のフック１１５により土砂バケット２０が略垂直状態に吊り上げられて、土砂を放出する。
【００９６】
そして、クレーン１１２のフック１１５により、空になった土砂用バケット２０を平らな場所に置いて、一旦、アーム部４１をＰ３の位置にしてから、Ｐ４、Ｐ５、Ｐ６の位置状態にする。そして、アーム部４１の連結金具（シャックル）９８に引掛けられたクレーン１１２のフック１１５により土砂用バケット２０は再び吊り上げられ、バックホー１１７のそばに移動して、再度、アーム部４１をＰ１、Ｐ２、Ｐ３の位置にして、土砂用バケット２０の上面開口部２１ａを大きく開いた状態にして、バックホー１１７のバケット１１９により土砂を土砂用バケット内に収容して、簡単な操作で安全な搬送作業を確実に繰返すことが出来る。
【００９７】
図１２は本発明の第１の実施形態に係る土砂用バケットを用いた工法を示す斜視図である。図１２を参照して、急斜面１２２の工事場所１２３において、崖下の平地１２１付近に住宅地が存在する場合に、バックホー１１７で掘削した土砂を直接崖下に落下させると粉塵や土砂流出といった災害や公害を発生させる可能性があるために、バックホー１１７で掘削した土砂を、土砂用バケット２０に土砂を収容して、クレーン１１２のワイヤ１１４のフック１１５により、この土砂の入っている土砂用バケット２０を略水平に保って吊り下げて所望の場所に土砂搬出作業を行う工法である。
【００９８】
初めに、図１、図６を参照して、
ＳＴＡＲＴ：土砂用バケット２０は、安全上からアーム部４１が、折畳まれてＰ１の位置になっていて平地１２１上に置かれている工程。アーム部４１をＰ１の位置に回転させてある場合、アーム部４１が左右のアーム止め１０８、（１０４）に当接して停止していると共に、左右フック保持部８１、（５１）の左右の保持凹部５５ａ，（５５ａ）により、左右フック７５、（４５）の左右の保持ピン５０、（５０）を掛止した状態、即ち、左右フック７５、（４５）の他端部近傍の左右のピン受け凹部７６ｂ、（４６ｂ）が、上方に持上げられて保持掛止されている。この状態では、アーム部４１を回転させた時に、左右フック７５、（４５）と左右のピン３２ａ，（３２ａ）とは掛止させることは出来ない。
【００９９】
ＳＴＥＰ１（Ｓ１と略す）：土砂用バケット２０のアーム部４１の連結金具（シャックル）９８に、クレーン１１２のワイヤ１１４のフック１１５を引掛ける工程。
【０１００】
Ｓ２：クレーン１１２の操作により、アーム部４１をＰ１の位置からＰ２の位置に、反時計方向に回転させる工程。アーム部４１をＰ１の位置からＰ２の位置に回転させる時、アーム部４１が、左右フック保持部８１、（５１）の保持凹部５５ａ（５５ａ）に左右フック７５、（４５）の保持ピン５０、（５０）を掛止させたまま反時計方向に回転されてＰ１の位置からＰ２の位置まで回転される途中において（Ｐ５，Ｐ６の状態を出現することなく）左右フック７５、（４５）とピン３２ａ、（３２ａ）との掛止を阻止したままの状態を保持している。
【０１０１】
そして、アーム部４１をＰ２の位置に回転させると、左右のフック固定解除用部材１０５、（１０５）の下端面と左右フック７５、（４５）の左右の背面傾斜部７６ｅ，（４６ｅ）とが当接し、左右フック保持部８１、（５１）の左右の保持凹部５５ａ，（５５ａ）に掛止されていた左右フック７５、（４５）の左右の保持ピン５０、（５０）が解放離脱されて、左右フック７５、（４５）が左右のフック軸４７、（４７）を中心に時計方向に自重で回転して、左右の案内板部７６ｄ、（４６ｄ）とストッパ６６、（６６）とが当接して停止する状態となる。
【０１０２】
Ｓ３：アーム部４１をＰ２の位置からＰ３の位置に回転する工程。アーム部４１が左右アーム受１１０、（１０６）に当接し停止し、土砂用バケット２０の上面開口部２１ａが大きく開かれた状態となっている。その時左右フック７５、（４５）は左右のフックストッパ６６、（６６）に当接した状態のままである。そして、次にクレーン１１２のフック１１５で土砂用バケット２０を吊り上げて略水平状態で工事場まで運搬するための準備に入る。
【０１０３】
Ｓ４：アーム部４１をＰ３の位置から、Ｐ４の位置，更にＰ５の位置，そしてＰ６の位置へ回転させる工程。左右フック７５、（４５）を左右のピン３２ａ，（３２ａ）に掛止させ、左右アーム支持部３７、（３６）に支持されたアーム本体４２と左右のピン３２ａ，（３２ａ）に掛止された左右フック７５（４５）との共同で、土砂用バケット２０を略水平状態にしてアーム部４１に掛けられたクレーン１１２のフック１１５に吊り下げ可能とする。
【０１０４】
Ｓ５：アーム部４１をＰ６の位置の状態で、土砂用バケット２０を略水平状態にクレーン１１２のフック１１５により吊り下げて工事場所のバックホー１１７の傍らに移動して、土砂用バケット２０を置く工程。
【０１０５】
Ｓ６：アーム部４１をＰ６の位置から、Ｐ１の位置、Ｐ２の位置、そしてＰ３の位置に回転させる工程。土砂用バケット２０の上面開口部２１ａを大きく開いた状態にして、バックホー１１７のバケット１１９により、土砂を土砂用バケット内に収容し易くする工程である。
【０１０６】
Ｓ７：バックホー１１７のバケット１１９により土砂を土砂用バケット内に収容する工程。アーム部４１が左方に倒された状態であり、土砂用バケット２０の上部の開口部が大きく開かれているので、バックホー１１７のアーム１１８を駆動してバケット１１９により、土砂用バケットの中に、容易に掘削した土砂を入れることが出来る。
【０１０７】
Ｓ８：アーム部４１をＰ３の位置から、Ｐ４の位置、Ｐ５の位置、そしてＰ６の位置に回転させる工程。アーム部４１をＰ３の位置からＰ４，Ｐ５，そしてＰ６の位置に回転させて、左右フック７５、（４５）を左右のピン３２ａ，（３２ａ）に掛止させ、左右アーム支持部３７、（３６）に支持されたアーム本体４２と左右のピン３２ａ，（３２ａ）に掛止された左右フック７５（４５）との共同で、土砂用バケット２０を略水平状態にしてアーム部４１に掛けられたクレーン１１２のフック１１５に吊り下げて運搬できるようにする工程である。
【０１０８】
Ｓ９：アーム部４１がＰ６の位置の時に、クレーン１１２のフック１１５により、土砂用バケット２０を略水平状態に吊り下げて工事場所１２３から移動して、土砂の入っている土砂用バケット２０を平地１２１上の所望の場所に（例えば、トラック１２５の荷台の上に）運搬する工程。
【０１０９】
Ｓ１０：クレーン１１２のフック１１５により土砂バケット２０の前端部下にして、土砂バケットを平地１２１上の所望の場所にて略垂直状態に吊り上げられて、土砂を所望の場所に（例えば、トラック１２５の荷台の上に）放出する工程。ここで、左右アーム支持部３７、（３６）より前方にバケット本体２１の重心位置が存在するので、確実にバケット本体２１は、前端部を下向きにして略垂直状態に吊り下げられ、バケット本体２１内に収容されている土砂を前端部から所望の位置に確実に放出できる。
【０１１０】
Ｓ１１：空になった土砂用バケット２０を、クレーン１１２のフック１１５により、平らな場所に置いて、一旦、アーム部４１をＰ３の位置にしてから、Ｐ４、Ｐ５、Ｐ６の位置状態にする。アーム部４１をＰ３の位置から、Ｐ４の位置，更にＰ５の位置，そしてＰ６の位置へ回転させる工程。左右フック７５、（４５）を左右のピン３２ａ，（３２ａ）に掛止させ、左右アーム支持部３７、（３６）に支持されたアーム本体４２と左右のピン３２ａ，（３２ａ）に掛止された左右フック７５（４５）との共同で、土砂用バケット２０を略水平状態にしてアーム部４１に掛けられたクレーン１１２のフック１１５に吊り下げて移動可能とする。
【０１１１】
Ｓ１２：アーム部４１をＰ６の位置の状態で、土砂用バケット２０を略水平状態にクレーン１１２のフック１１５により吊り下げて工事場所のバックホー１１７の傍らに移動させて、土砂用バケット２０を置く工程。
【０１１２】
以後Ｓ６に戻り、工程Ｓ６→工程Ｓ７→工程Ｓ８→工程Ｓ９→工程Ｓ１０→工程Ｓ１１→工程１２→工程Ｓ６に戻り、以後これを繰返す。
【０１１３】
土砂運搬作業の終了時には、工程Ｓ１１から分岐して、
Ｓ１３：アーム部４１をＰ６の位置の状態で、土砂用バケット２０を略水平状態にクレーン１１２のフック１１５により吊り下げて作業の障害にならない平地１２１上の場所に移動して、土砂用バケット２０を置く工程。
【０１１４】
Ｓ１４：土砂用バケット２０は、安全上からアーム部４１が、折畳まれてＰ１の位置になって置かれている工程。
【０１１５】
ＳＴＯＰ：終了。
以上、ＳＴＡＲＴからＳＴＯＰまでの土砂搬出作業工程を特徴とする本発明の土砂用バケットを用いた工法である。
【０１１６】
本発明の土砂用バケット２０を用いた工法ではクレーン１１２の設置場所の平地１２１から工事場所１２３までの高さは約８０ｍが可能であり、急斜面工事において、崖下付近に住宅地が存在する場合に、バックホーで掘削した土砂を、土砂用バケット内に土砂を収容して、クレーンのワイヤのフックにより、この土砂の入っている土砂用バケットを水平に保って吊り下げて土砂搬出作業を行う工法であるから、粉塵や土砂流出と言った公害や災害を防止することが出来る。
【０１１７】
以上、本発明の実施の形態を説明したが、本発明の土砂用バケットとこれを用いた工法は、これに限定されるものではなく、本発明の要旨を逸脱しない範囲内において種々変更を加え得ることは勿論である。
【産業上の利用可能性】
【０１１８】
本発明は建築・土木工事において急傾斜地・災害復旧工事など危険な場所における掘削土等の土砂をトラックの荷台又は他の場所に搬出するための土砂用バケットを製造、販売する産業分野や、一般の産業廃棄物の移動運搬や、鉱山のぼた等の廃棄物の移動運搬の産業分野で利用することが出来る。
【図面の簡単な説明】
【０１１９】
【図１】本発明の第1の実施の形態に係る土砂用バケットの正面図である。
【図２】本発明の第1の実施の形態に係る土砂用バケットの平面図である。
【図３】本発明の第1の実施の形態に係る土砂用バケットの右側面図である。
【図４】図２の土砂用バケットの平面図のＡ部とＢ部の拡大図である。
【図５】図３の土砂用バケットの右側面図のＣ部とＤ部の拡大図である。
【図６】図１の土砂用バケットのバケット本体とアーム部との要部を示す左側面図である。
【図７】図１の土砂用バケットのバケット本体とアーム部との要部を示す左側面図である。
【図８】図１の土砂用バケットのバケット本体とアーム部との要部を示す左側面図である。
【図９】図１の土砂用バケットのバケット本体とアーム部との要部を示す左側面図である。
【図１０】図１の土砂用バケットのバケット本体とアーム部との要部を示す左側面図である。
【図１１】図１の土砂用バケットのバケット本体とアーム部との要部を示す左側面図である。
【図１２】本発明の第１の実施形態に係る土砂用バケットを用いた工法を示す斜視図である。
【図１３】従来技術の土砂用バケットの斜視図である。
【図１４】従来技術の土砂用バケットの斜視図である。
【符号の説明】
【０１２０】
２０    土砂用バケット
２    バケット本体
２１ａ    上面開口部
３２    縦補強材
３２ａ    左右のピン
３６    右アーム支持部
３７    アーム支持部
３９    左右の頭付き軸
４２    アーム本体
４３    右アーム
４５    右フック
４６ｂ    ピン受け凹部
４７    左右のフック軸
５０    左右の保持ピン
５１    右フック保持部
７３    左アーム
７５    左フック
７６ｂ    ピン受け凹部
８１    左フック保持部
９６    中央アーム
９８    連結金具（シャックル）
【図１】
2006232428.tif 000003
【図２】
2006232428.tif 000004
【図３】
2006232428.tif 000005
【図４】
2006232428.tif 000006
【図５】
2006232428.tif 000007
【図６】
2006232428.tif 000008
【図７】
2006232428.tif 000009
【図８】
2006232428.tif 000010
【図９】
2006232428.tif 000011
【図１０】
2006232428.tif 000012
【図１１】
2006232428.tif 000013
【図１２】
2006232428.tif 000014
【図１３】
2006232428.tif 000015
【図１４】
2006232428.tif 000016